(57)【要約】
【課題】　蓋部分を開けずに外から中のボールを動かしてボールの番号を確認でき、蓋部分の破損を防ぐ。
【解決手段】　同一番号が付された複数個のゴルフボールを収容したゴルフボール用パッケージにおいて、パッケージ本体１のボール取出し口の蓋部分２以外で収容されたボールが見える位置に確認窓３を形成し、この確認窓３は素通しで、パッケージ本体１の外側から内部に収容されたボールを直接指で動かすことができる程度の大きさに形成してあり、ボール購入者は蓋部分２を開けることなくこの確認窓３から指でボールを動かしてボールに付された番号を確認できるようにした。
【選択図】　図１
0003100183.tif 000002
【実用新案登録請求の範囲】
【請求項１】
　同一番号が付された複数個のゴルフボールを収容したゴルフボール用パッケージにおいて、
　パッケージ本体のボール取出し口の蓋部分以外で収容されたボールが見える位置に確認窓を形成し、
　この確認窓は素通しで、パッケージ本体の外側から内部に収容されたボールを直接指で動かすことができる程度の大きさに形成してあり、
　ボール購入者は蓋部分を開けることなくこの確認窓から指でボールを動かしてボールに付された番号を確認できることを特徴とするゴルフボール用パッケージ。
【請求項２】
　前記ボールはパッケージ本体内で一列に並んで収容されていることを特徴とする請求項１に記載のゴルフボール用パッケージ。
【請求項３】
　前記素通しの確認窓とは別個の側面に側面の長さ方向において確認窓と同位置に透明部材を有するディスプレイ窓を形成したことを特徴とする請求項１又は２に記載のゴルフボール用パッケージ。
【請求項４】
　前記素通しの確認窓とは別個の側面に側面の長さ方向において確認窓と同位置に透明部材を有さないディスプレイ窓を形成したことを特徴とする請求項１又は２に記載のゴルフボール用パッケージ。
【請求項５】
　前記パッケージ本体は、パッケージ本体の蓋部分が紙材料から形成されていることを特徴とする請求項１ないし４のいずれか１項に記載のゴルフボール用パッケージ。
【請求項６】
　前記確認窓の大きさは、指先が入る程度の略１００ｍｍ２からボール正面の面積の２分の１以下の略１４３２ｍｍ２であることを特徴とする請求項１ないし５のいずれか１項に記載のゴルフボール用パッケージ。
【請求項７】
　前記確認窓は長方形又は長円形で狭い方の幅が１０〜１６ｍｍであることを特徴とする請求項１ないし６のいずれか１項に記載のゴルフボール用パッケージ。
【請求項８】
　前記パッケージ本体は、直方体であることを特徴とする請求項１ないし７のいずれか１項に記載のゴルフボール用パッケージ。
【請求項９】
　前記確認窓は、複数個のボールの両端のボールを除いた他のボールの個所に形成されていることを特徴とする請求項１ないし８のいずれか１項に記載のゴルフボール用パッケージ。
【考案の詳細な説明】
【技術分野】
【０００１】
　この考案は、同一番号が付された複数個のゴルフボールを収容したゴルフボール用パッケージに関するものである。
【背景技術】
【０００２】
　従来のゴルフボール用パッケージとしては、３個ないしは４個入りの紙箱が一般的に用いられ、１つの紙箱内には、同一番号を付したボールが収容されている。ゴルフボールは一列に並べられ、直方体の紙箱の上下には蓋部分が設けてあり、この蓋部分を開けてボールを取り出すようになっている。ゴルフボール購入者には、好みの番号があったり、あるいは複数箱購入するときに同一番号のものを避けようとする等の理由により、店に展示してあるゴルフボール収容の紙箱（ボール用パッケージ）の蓋部分を開けてボールの番号を確認しようとする。
　従来例としては、ディスプレイ用の窓の他に切り取り用ミシン目切線を両側に形成したゴルフボール用の包装箱が知られている（例えば、特許文献１参照）。
【特許文献１】実用新案登録第３０４７６７８号公報（１頁、図１）
【考案の開示】
【考案が解決しようとする課題】
【０００３】
　従来のゴルフボール用パッケージでは、ディスプレイ窓があるものでも、この窓から番号が見えない場合には、番号確認のために蓋部分を開けて確認しようとする購入者は多かった。そのため、蓋部分の開閉を繰り返すことによりボール用パッケージが破損することがあった。蓋部分に切れ目が入ったものや蓋部分が折れ曲がったり、蓋の欠落したボール用パッケージでは、商品価値が低下ないしは無くなってしまう。
　そこで、この考案は、ボール用パッケージの蓋部分を開けなくとも、ボールに付された番号を確認することができ、ボール用パッケージの破損を防ぐようにしたゴルフボール用パッケージを提供することを目的とする。
【課題を解決するための手段】
【０００４】
　上述の目的を達成するため、この考案は、同一番号が付された複数個のゴルフボールを収容したゴルフボール用パッケージにおいて、パッケージ本体のボール取出し口の蓋部分以外で収容されたボールが見える位置に確認窓を形成し、この確認窓は素通しで、パッケージ本体の外側から内部に収容されたボールを直接指で動かすことができる程度の大きさに形成してあり、ボール購入者は蓋部分を開けることなくこの確認窓から指でボールを動かしてボールに付された番号を確認できるようにしたものである。
【考案の効果】
【０００５】
　この考案では、ボール購入者は、素通しの確認窓から指を挿入して、ボールに直接触れてボールを回転させ、この確認窓の個所に番号がくるようにすれば、蓋部分を開けることなくボールの番号を確認することができる。また、蓋部分の開閉を繰り返さないことにより、ゴルフボール用パッケージの破損を防ぐことができる。
【考案を実施するための最良の形態】
【０００６】
　以下に、この考案の実施形態のいくつかについて、図面を参照にして説明する。
【０００７】
　図１は、３個入りのゴルフボール用パッケージの斜視図であり、パッケージ本体１の両端に正方形の蓋部分２を形成してある直方体の紙箱である。この蓋部分２は、メインフラップ２Ａとサブフラップ２Ｂ，２Ｃとから成る。そして、パッケージ本体１の蓋部分２以外の部分で、収容されたボール（図示せず）が見える位置に確認窓３を形成してある。この確認窓３は、素通しで、パッケージ本体１の外側から内部に収容されたボールを直接指で動かすことができる程度の大きさ、すなわち幅１０ｍｍ以上であって面積が１００ｍｍ２以上に形成してある。この確認窓３の大きさは、当然にボール以上の大きさではなく、最大ボールの正面の面積（円の面積）の２分の１程度、すなわち略１４３２ｍｍ２であることが好ましく、それ以上大きくしてしまうとパッケージ本体１の強度（紙製の場合）を低下させることもある。また、最小の大きさとしては、指先が入る程度は必要である。また、３個以上のボールを収容したものでは、パッケージ本体１の両端のボールを除いた他のボールの個所に形成されるのが好ましい。これは、パッケージ本体１の強度との関係で、両端に確認窓３を形成するよりも、中央部分に形成した方が有利であるからである。
【０００８】
　図２に示す実施形態は、素通しの確認窓３とは別個の側面に、パッケージ本体１に透明部材４Ａを有するディスプレイ窓４を形成したものである。このディスプレイ窓４は、確認窓３よりも大きく、ほぼボール１個分が見える程度の大きさである。前記透明部材４Ａとしては、種々のプラスチックフィルムが用いられる。このパッケージ本体１は、直方体であり、両端の蓋部分２以外の側面は４つの面で構成され、互いに隣り合った２つの側面にディスプレイ窓４と確認窓３とを形成してあり、ディスプレイ窓４は、ボールよりも少し小さい円形とし、確認窓３は長孔としてある。ディスプレイ窓４と確認窓３は、ともに両端から中間の部分に形成してある。すなわち、両窓３，４ともに側面の長さ方向において同位置に形成してある。なお、ディスプレイ窓４に透明部材４Ａを設けなくてもよい。
【０００９】
　図３は、ディスプレイ窓４の形状を円形から長方形に変更した例を示す。このディスプレイ窓４の形状は、図示した形状に限定されるものではない。種々の形状に形成されたディスプレイ窓４からボールを見ながら、確認窓３から指を挿入してボールを動かしてボールの番号がディスプレイ窓４から見えるようにすれば、蓋部分２を開けずにボールの番号が確認できる。
【００１０】
　図４及び図５は、確認窓３の他の形状をそれぞれ示すものである。この形状も図示するものに限定されるものではない。また、図６は、パッケージ本体１の対向する面にディスプレイ窓４と確認窓３とを形成したものを示す。両方の窓の形成面は、限定されるものではない。また、パッケージ本体１の立方体形状も四角い直方体以外の形状、例えば三角柱、五角柱、六角柱のような箱体であってもよい。
【００１１】
　前記パッケージ本体１は、紙製としたが、他の材料から形成されていてもよい。この材料は、蓋部分２の開閉を繰り返すことにより破損するおそれの大きい材料が予定されているが、必ずしも破損するおそれがあるものである必要はない。破損しにくい材料であっても、蓋部分２が折り曲げられたりすると、商品価値は低下してしまうから、比較的丈夫な材料でパッケージ本体１を形成した場合であってもよい。
【図面の簡単な説明】
【００１２】
【図１】この考案の実施形態を示す斜視図。
【図２】他の実施形態を示す斜視図。
【図３】ディスプレイ窓の他の例を示す正面図。
【図４】確認窓の他の例を示す側面図。
【図５】確認窓のさらに他の例を示す側面図。
【図６】別の実施形態を示す斜視図。
【符号の説明】
【００１３】
　１　パッケージ本体
　２　蓋部分
　３　確認窓
　４　ディスプレイ窓
【図１】
0003100183.tif 000003
【図２】
0003100183.tif 000004
【図３】
0003100183.tif 000005
【図４】
0003100183.tif 000006
【図５】
0003100183.tif 000007
【図６】
0003100183.tif 000008